【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
像担持体の表面に形成された静電潜像に現像剤を付着させて現像を行なう現像手段と、
前記現像手段に対して、正のパルスの電圧が負のパルスの電圧と異なっている現像バイアス電圧を供給する電圧発生回路とを有し、
前記電圧発生回路は、
一次側に入力された電圧を異なる大きさの電圧に変換して二次側に出力する電圧変換手段と、
前記一次側に接続されたブリッジ回路と、
前記ブリッジ回路に印加する第１の電圧を生成する第１のスイッチングレギュレータと、
前記ブリッジ回路に印加する第２の電圧を生成する第２のスイッチングレギュレータと、を有し、
前記第１のスイッチングレギュレータの駆動周波数と、前記第２のスイッチングレギュレータの駆動周波数との差分の絶対値が所定周波数以上となるように、前記第１のスイッチングレギュレータの駆動周波数と、前記第２のスイッチングレギュレータの駆動周波数とが設定されていることを特徴とする画像形成装置。
【請求項２】
前記所定周波数は、該所定周波数で変化する画像の濃淡を人間が視認できない視認不能周波数以上であることを特徴とする請求項１に記載の画像形成装置。
【請求項３】
前記第１のスイッチングレギュレータの駆動周波数と、前記第２のスイッチングレギュレータの駆動周波数とが前記第１のスイッチングレギュレータと前記第２のスイッチングレギュレータを構成するそれぞれの所定の電気素子の回路定数によって固定されていることを特徴とする請求項２に記載の画像形成装置。
【請求項４】
前記所定の電気素子の回路定数はキャパシタの容量であることを特徴とする請求項３に記載の画像形成装置。
【請求項５】
前記視認不能周波数であるｆｔｈは、
前記電圧発生回路によって現像電圧を供給される画像形成装置のプロセススピードＰＳ（ｍｍ／ｓ）を用いて、次式
ｆｔｈ＝  １０（周期／ｍｍ）×ＰＳ（ｍｍ／ｓ）
により決定されることを特徴とする請求項２ないし４のいずれか１項に記載の画像形成装置。
【請求項６】
前記電圧変換手段は一次巻線と二次巻線とを有するトランスであり、前記一次巻線の一端にキャパシタが接続されており、
前記ブリッジ回路は、
前記第１のスイッチングレギュレータと前記トランスの前記一次巻線の他端との間に接続され、前記第１のスイッチングレギュレータと前記トランスの前記一次巻線の他端とを接続している状態と接続していない状態とに切り替える第１スイッチング手段と、
前記トランスの前記一次巻線の他端とグランドとの間に接続され、前記トランスの前記一次巻線の他端と前記グランドとを接続している状態と接続していない状態とに切り替える第２スイッチング手段と、
前記第２のスイッチングレギュレータと前記キャパシタとの間に接続され、前記第２のスイッチングレギュレータと前記キャパシタとを接続している状態と接続していない状態とに切り替える第３スイッチング手段と、
前記キャパシタと前記グランドとの間に接続され、前記キャパシタと前記グランドとを接続している状態と接続していない状態とに切り替える第４スイッチング手段と、を有していることを特徴とする請求項１ないし５のいずれか１項に記載の画像形成装置。
【請求項７】
像担持体に形成された静電潜像に現像剤を付着させて現像を行なう現像器を有する画像形成装置で使用される電圧発生装置であって、
前記現像器に対して、正のパルスの電圧が負のパルスの電圧と異なっている現像バイアス電圧を供給する電圧発生回路を有し、
前記電圧発生回路は、
一次側に入力された電圧を異なる大きさの電圧に変換して二次側に出力する電圧変換手段と、
前記一次側に接続されたブリッジ回路と、
前記ブリッジ回路に印加する第１の電圧を生成する第１のスイッチングレギュレータと、
前記ブリッジ回路に印加する第２の電圧を生成する第２のスイッチングレギュレータと、を有し、
前記第１のスイッチングレギュレータの駆動周波数と、前記第２のスイッチングレギュレータの駆動周波数との差分の絶対値が所定周波数以上になるように、前記第１のスイッチングレギュレータの駆動周波数と前記第２のスイッチングレギュレータの駆動周波数が設定されていることを特徴とする電圧発生装置。
【請求項８】
前記所定周波数は、該所定周波数で変化する画像の濃淡を人間が視認できない視認不能周波数以上であることを特徴とする請求項７に記載の電圧発生装置。
【請求項９】
前記第１のスイッチングレギュレータの駆動周波数と、前記第２のスイッチングレギュレータの駆動周波数とが前記第１のスイッチングレギュレータと前記第２のスイッチングレギュレータを構成するそれぞれの所定の電気素子の回路定数によって固定されていることを特徴とする請求項８に記載の電圧発生装置。
【請求項１０】
前記所定の電気素子の回路定数はキャパシタの容量であることを特徴とする請求項９に記載の電圧発生装置。
【請求項１１】
前記視認不能周波数であるｆｔｈは、
前記電圧発生装置によって現像電圧を供給される画像形成装置のプロセススピードＰＳ（ｍｍ／ｓ）を用いて、次式
ｆｔｈ＝  １０（周期／ｍｍ）×ＰＳ（ｍｍ／ｓ）
により決定されることを特徴とする請求項８ないし１０のいずれか１項に記載の電圧発生装置。
【請求項１２】
前記電圧変換手段は一次巻線と二次巻線とを有するトランスであり、前記一次巻線の一端にキャパシタが接続されており、
前記ブリッジ回路は、
前記第１のスイッチングレギュレータと前記トランスの前記一次巻線の他端との間に接続され、前記第１のスイッチングレギュレータと前記トランスの前記一次巻線の他端とを接続している状態と接続していない状態とに切り替える第１スイッチング手段と、
前記トランスの前記一次巻線の他端とグランドとの間に接続され、前記トランスの前記一次巻線の他端と前記グランドとを接続している状態と接続していない状態とに切り替える第２スイッチング手段と、
前記第２のスイッチングレギュレータと前記キャパシタとの間に接続され、前記第２のスイッチングレギュレータと前記キャパシタとを接続している状態と接続していない状態とに切り替える第３スイッチング手段と、
前記キャパシタと前記グランドとの間に接続され、前記キャパシタと前記グランドとを接続している状態と接続していない状態とに切り替える第４スイッチング手段と、を有していることを特徴とする請求項７ないし１１のいずれか１項に記載の電圧発生装置。
【手続補正２】
【補正対象書類名】明細書
【補正対象項目名】発明の名称
【補正方法】変更
【補正の内容】
【発明の名称】画像形成装置および電圧発生装置
【手続補正３】
【補正対象書類名】明細書
【補正対象項目名】０００７
【補正方法】変更
【補正の内容】
【０００７】
本発明は、たとえば、
像担持体の表面に形成された静電潜像に現像剤を付着させて現像を行なう現像手段と、
前記現像手段に対して、正のパルスの電圧が負のパルスの電圧と異なっている現像バイアス電圧を供給する電圧発生回路とを有し、
前記電圧発生回路は、
一次側に入力された電圧を異なる大きさの電圧に変換して二次側に出力する電圧変換手段と、
前記一次側に接続されたブリッジ回路と、
前記ブリッジ回路に印加する第１の電圧を生成する第１のスイッチングレギュレータと、
前記ブリッジ回路に印加する第２の電圧を生成する第２のスイッチングレギュレータと、を有し、
前記第１のスイッチングレギュレータの駆動周波数と、前記第２のスイッチングレギュレータの駆動周波数との差分の絶対値が所定周波数以上となるように、前記第１のスイッチングレギュレータの駆動周波数と、前記第２のスイッチングレギュレータの駆動周波数とが設定されていることを特徴とする画像形成装置を提供する。